(57)【要約】【課題】  微少量の製品を皮膚の所定領域に正確に塗布するアプリケータを提供する。【解決手段】  塗布される物質を含有する貯蔵部と、該貯蔵部を閉鎖するための蓋と、該物質を塗布するための、フォームまたは低硬度のエラストマーよりなる変形部材を支持するアプリケータホルダーとを備えたアプリケータであって、該物質を保持する該貯蔵部はフィンガー状の有孔の端部部材によって範囲が限定され、該端部部材は座部を備えた基部を含み、該座部には少なくとも１つの細孔が形成され、該貯蔵部が該蓋により閉鎖される位置では該変形部材は該細孔に対して押圧され変形することを特徴とする。【選択図】  図１
2004216177.tif 000002
【特許請求の範囲】
【請求項１】
塗布される物質を含有する貯蔵部と、
該貯蔵部を閉鎖するための蓋と、
該物質を塗布するための、フォームまたは低硬度のエラストマーよりなる変形部材を支持するアプリケータホルダーと
を備えたアプリケータであって、
該物質を保持する該貯蔵部はフィンガー状の有孔の端部部材によって範囲が限定され、該端部部材は座部を備えた基部を含み、該座部には少なくとも１つの細孔が形成され、該貯蔵部が該蓋により閉鎖される位置では該変形部材は該細孔に対して押圧され変形することを特徴とし、
ここで、該変形部材が、該蓋が該貯蔵部から離れる場合、該変形部材が、自由な状態にある初期の形状に戻り、端部部材の基部に保持される物質を吸い上げる吸引効果を生じる、アプリケータ。
【発明の詳細な説明】
【技術分野】
【０００１】
本発明は、にきび、しみの手当てなど、皮膚の局部的な手当てのためのアプリケータに関する。
【背景技術】
【０００２】
従来、化粧品などを容器から少量だけ取り出して皮膚などに塗布する場合にはハケなどのアプリケータが用いられている。
【発明の開示】
【発明が解決しようとする課題】
【０００３】
しかし、このようなアプリケータを用いる場合には容器内の化粧品に先端部を接触させるが、その際に微少量の化粧品をアプリケータの先端部に付着させることは困難であり、それ故に必要量を正確に皮膚の所定の局部に塗布することが困難であった。また、付着し過ぎると、にきびなどの局部的な範囲を超えて皮膚の余分な部分にまで塗布され好ましくなかった。
【０００４】
本発明の目的は、微少量を皮膚の所定の位置にきわめて正確に塗布し得るアプリケータを提供することである。
【課題を解決するための手段】
【０００５】
上記の目的を達成するために、本発明のアプリケータは、塗布される物質を含有する貯蔵部と、該貯蔵部を閉鎖するための蓋と、該物質を塗布するための、フォームまたは低硬度のラストマーよりなる変形部材を支持するアプリケータホルダーとを備えたアプリケータであって、該変形部材は粗表面を有すると共に実質的な形状記憶を有しており、また該物質を保持する該貯蔵部はフィンガー状の有孔の端部部材によって範囲が限定され、該端部部材は座部を備えた基部を含み、該座部には少なくとも１つの細孔が形成され、該貯蔵部が該蓋により閉鎖される位置では該変形部材は該細孔に対して押圧され変形することを特徴とし、これによって上記目的が達成される。
【０００６】
好ましくは、前記少なくとも１つの細孔は円形であり直径は０．５〜３ｍｍである。もしくは、０．２〜７ｍｍ2の断面積を有するスリットである。
【０００７】
好ましくは、前記変形部材の前記座部および前記細孔と接触する側の端部は平坦、球形、または先端が円錐の形状である。
【０００８】
好ましくは、前記変形部材を支持するアプリケータホルダーは中空のロッドを有し、さらに好ましくはオジー形状の剛性の支持スリーブを有する。もしくは、前記アプリケータホルダーは剛性の中実のロッドを有し、該中実のロッドの一方の端部に、前記変形部材が変形中に該変形部材を案内するための細長い形状の補強部材が形成されている。
【０００９】
好ましくは、前記端部部材はスペーサーによって支持され、該スペーサーは貯蔵部と一体形成され、また前記アプリケータホルダーは該スペーサーを貫通する。
【００１０】
好ましくは、前記細孔は、細孔貯蔵部として働くフレア状の円錐台部に沿って前記貯蔵部に向かって開口している。該細孔の寸法は塗布される物質の粘度により調節される。
【００１１】
好ましくは、前記端部部材は半剛性の材料、もしくは剛性の材料よりなる。
【００１２】
好ましくは、前記変形部材を構成する低硬度のエラストマーは連続気泡フォームとして設計され、これら気泡は該変形部材が変形すると互いに連通する。
【発明の効果】
【００１３】
本発明の構成によれば、変形部材が細孔を有する端部部材の基部の座部に押圧されると、変形部材は変形し座部に接触する部分の面積が増大する。細孔が形成されているため、端部部材の基部の、座部が形成されている側とは反対側の面に毛細現象により一滴の塗布物質が保持される。蓋を貯蔵部から離してアプリケータを開口すると変形部材は初期の形状に戻り、このとき吸引効果により塗布物質を吸引する。
【発明を実施するための最良の形態】
【００１４】
図１および図２に本発明のアプリケータの１つの実施態様を示す。アプリケータ１は、基部３を有し一方の端部が開口した円筒状の貯蔵部２を含む。貯蔵部２と同じ断面を有するスペーサー１０が貯蔵部２の開口部から圧入され、外径が貯蔵部２の外径と等しいスペーサー１０のフランジ２６が貯蔵部２の開口部の外縁に当接する。
【００１５】
スペーサー１０はフィンガー状の端部部材１１を支持する。この支持を行うために、スペーサー１０には軸方向の円筒状の凹部１３が形成されている。この凹部１３に続いて縮径の同軸通路１４が延び、さらに続いてフレア領域１５が形成され外部に開口している。このフレア領域１５の外面、すなわちスペーサー１０の端部であって貯蔵部２に圧入された部分より縮径された円筒状の端部の表面には、外部ネジ山部１６が形成されている。
【００１６】
ネジ山部１６が形成された端部とは反対側のスペーサー１０の端部には、スナップ嵌合を行うための環状の胴部１７が形成されている。端部部材１１は円筒状の凹部１３に挿入される。端部部材１１はフィンガー形状をしており、円筒部２５と基部２０とからなる。基部２０は細孔２３が形成された座部２４を有する。基部２０には、スペーサー１０の環状の胴部１７の形状に相補する形状を有するスナップ嵌合用のフランジ２１が設けられ、これによりスナップ嵌合によって端部部材１１がスペーサー１０に連結される。端部部材１１の基部２０は塗布される物質５を貯蔵するための貯蔵部２の基部３からは離れた位置にある。
【００１７】
アプリケータ１はまた、図１および図２では一部のみを示す蓋４を備えている。蓋４は貯蔵部２と同様の断面を有する。蓋４もまた基部（図示せず）を有し一方の端部が開口した円筒の形状である。蓋４と同じ断面を有するストッパ４０がこの開口部から圧入され、ストッパ４０のフランジ４５が蓋４の開口部の外縁に当接する。ストッパ４０は先端部４１を有し、先端部４１には空洞部４２が形成されている。空洞部４２に続いて、さらに直径の大きい孔部４３が形成されている。孔部４３の内面には、スペーサー１０のネジ山部１６に相補するネジ山部４４が形成されている。
【００１８】
アプリケータホルダー３０がストッパ４０と一体形成され、この実施例ではフォーム３５よりなる変形可能な塗布部材を支持する。アプリケータホルダー３０は孔部３２が形成された中空のロッド３１を有する。ロッド３１の一方の端部には、ロッド３１を圧入により先端部４１の空洞部４２内に保持するための長さ方向のフィン部３３が形成されている。ロッド３１の他方の端部には、オジー形状の剛性の支持スリーブ３４が設けられており、狭搾部３６を形成する縮径の端部を介してフォーム３５を保持する。代表的ではないが１つの変形例として、フォーム３５は中空のロッド３１によって直接保持されてもよい。フォーム３５は相当程度の形状記憶を有する材料よりなる。図１はアプリケータが閉鎖した状態の位置を示す。蓋４が貯蔵部２にネジ込みされている。ストッパ４０とスペーサー１０との間の、ロッド３１の周りにはシールジョイント５０が配備されている。この閉鎖位置では、フォーム３５は座部２４および細孔２３に押し付けられている。貯蔵部２内にはボール６０が入れられ、必要に応じて物質５を撹拌する。細孔２３はフレア状の円錐台部２２に沿って貯蔵部２に向かって開口している。細孔２３は直径が０．５〜３ｍｍ程度と小さいため、物質５の滴６は毛細現象によって座部２４とは反対側の基部２０の表面に吸着する。
【００１９】
図２はアプリケータ１が開口位置にあり、使用される直前の状態を示す。この開口位置では、蓋４は貯蔵部２に対して後退し、フォーム３５は初期の形状に戻っている。フォーム３５は物質５の滴６の一部８を吸い上げ、滴６の残り７は毛細現象により細孔２３に保持され、細孔２３を塞いだ状態となる。
【００２０】
フォーム３５が物質５を吸い上げる様子を図３〜図５に示す。これらの図では細孔が形成されている端部部材１１の基部が模式的に示されている。図３はアプリケータが閉鎖位置にあるときを示す。物質の滴６が毛細現象により保持されている。図５は滴６の一部８がフォーム３５により吸い上げられ、細孔が滴の残り７によって塞がれた状態を示す。図４は滴６Ａが図３の滴６よりも小さくなり、フォーム３５が初期の形状に戻るに従って物質を吸い上げ始めている中間の状態を示す。
【００２１】
フォーム３５の初期の形状は他の形状でもよい。図６のフォーム１３５は平坦な端部を有する。図７に示すフォーム２３５は先端が丸い円錐形状を有する。図８に示すフォーム３３５は球形の端部を有する。
【００２２】
フォーム３５は粗表面を有し、その種類は限定されない。多数の突起部と小さな穴部とよりなるもの、または図７に示すような平行に形成された細い円形溝よりなるものであり得る。
【００２３】
図９〜図１１に示す変形例では、アプリケータホルダー４００、５００、６００は中実のロッド４３１、５３１、６３１を備え、これらの端部は各々、好ましくは硬度の低いエラストマーよりなる変形部材４３５、５３５、６３５を支持する形状とされる。硬度の低いエラストマーとは、ショア硬度がＡ１５からＡ７０の間のエラストマーを意味する。このエラストマーは連続気泡フォームよりなる。
【００２４】
図９では、中実のロッド４３１は端部に円筒形の凹部４３２を有し、凹部４３２内に変形部材４３５の端部４３６がきつく嵌入されている。
【００２５】
図１０では、中実のロッド５３１は端部に環状で円筒状の凹部５３２を有し、その中央部にロッド５３１の軸方向に細長い形状の補強部５３４が形成されている。補強部５３４の軸方向の長さは凹部５３２の長さより大きい。変形部材５３５は補強部５３４の形状に相補する形状の空洞部５３８を有し、補強部５３４にきつく係合している。同様に変形部材５３５の端部５３６は凹部５３２にきつく嵌入している。変形部材５３５は変形中に補強部５３４により案内され得る。
【００２６】
図１１では、中実のロッド６３１は端部に補強部６３４を有するが、図１０の変形例のように環状の凹部は形成されていない。補強部６３４には半径方向の突出部６３７が形成されているため、変形部材６３５は軸方向により確実に支持される。
【００２７】
図１２および図１３は本発明のアプリケータの他の変形例を示す。このアプリケータでは、物質の貯蔵部２の範囲を限定する端部部材１１は数個の細孔スリット２３０が形成された座部２４を有する。この変形例では円孤状の６個のスリット２３０が形成されている。スリット２３０の断面は、例えば図１６のＩ〜Ｖに示す形状のように適切なものであればいかなる形状でもよい。スリット２３０の縦断面は、図１７に示す円錐台の形状２３１、または図１８に示す一部が円錐台の形状２３２のような、物質を保持し得る形状であり得る。この変形例の端部部材１１は剛性の材料よりなり、上部２０２の外表面にネジ山部２０３を有する。上部２０２に続いて座部２４を取り囲むフレア状のスカート部２００が形成され、座部２４から半径方向に離れて位置している。スカート部２００は半球形状の貯蔵部２を覆い、例えば接着剤により貯蔵部２と一体とされている。貯蔵部２は好ましくは透明の材料で形成される。端部部材１１のネジ山部２０３は蓋４のネジ山部４０３と係合する。蓋４はまた端部部材１１を密閉するために上部の内面に環状のシール舌部４０４を有する。舌部４０４はストッパ４０を構成する内実の横壁を取り囲んでいる。
【００２８】
図１４に示すアプリケータは、貯蔵部２がスカート部２００に接続する柔軟な管である以外は、図１２のアプリケータと類似している。この変形例ではスカート部２００は図１２のスカート部２００より短い。
【００２９】
図１５に示すアプリケータでは、アプリケータホルダー３０は蓋４とは分離している。アプリケータホルダー３０はプレート３０１を含み、この一方の面にフォーム３５が固定支持されている。プレート３０１の他方の面にはグリップ３０２が取り付けられており、これによりアプリケータホルダー３０は一種のパウダーパフ用のアプリケータを構成している。蓋４の上部の内面には中央リブ４４０が設けられグリップ３０２と係合する。端部部材１１と蓋４に各々形成されたネジ山部２０３および４０３の係合により蓋４が端部部材１１の上部にネジ込みされると、中央リブ４４０によりアプリケータフルダー３０は座部２４上に押圧される。蓋４の上部の内面にはまた、端部部材１１を密閉するための環状のシールリップ部４０４が形成されている。スカート部２００の下部は横方向のプレートにより閉鎖され、これにより貯蔵部２が形成される。
【００３０】
図１９のアプリケータは図１２〜図１５に示したアプリケータと同じ型であるが、この変形例では端部部材１１は半剛性の材料により形成され、貯蔵部２のネック部に固定されている。端部部材１１は、図１〜図１１に示す実施例と同様に、貯蔵部２とは別に形成されている。
【産業上の利用可能性】
【００３１】
本発明のアプリケータによれば、変形部材が座部に押圧されるため貯蔵部の密閉が確実となる。変形部材が形状記憶を有する材料よりなるため塗布物質が確実に吸引される。また、変形部材は柔軟性があるため皮膚を局部的にマッサージすることも可能である。
【図面の簡単な説明】
【００３２】
【図１】本発明のアプリケータの部分断面図。
【図２】図１のアプリケータが開放位置にある状態を示す部分断面図。
【図３】本発明の変形部材が物質を吸引する動作の第１段階を示す模式図。
【図４】本発明の変形部材が物質を吸引する動作の第２段階を示す模式図。
【図５】本発明の変形部材が物質を吸引する動作の第３段階を示す模式図。
【図６】本発明の変形部材の変形例を示す模式図。
【図７】本発明の変形部材の他の変形例を示す模式図。
【図８】本発明の変形部材のさらに他の変形例を示す模式図。
【図９】本発明のアプリケータホルダーの変形例を示す模式図。
【図１０】本発明のアプリケータホルダーの他の変形例を示す模式図。
【図１１】本発明のアプリケータホルダーのさらに他の変形例を示す模式図。
【図１２】本発明の他のアプリケータを示す部分断面図。
【図１３】図１２のラインＸＩＩＩ−ＸＩＩＩに沿った図。
【図１４】図１２のアプリケータの変形例を示す部分断面図。
【図１５】本発明のさらに他のアプリケータを示す断面図。
【図１６】本発明のアプリケータに使用され得る細孔の様々な断面形状を示す。
【図１７】本発明の細孔の変形例を示す縦断面図。
【図１８】本発明の細孔の他の変形例を示す縦断面図。
【図１９】本発明のアプリケータのさらに他の変形例を示す部分断面図。
【符号の説明】
【００３３】
１  アプリケータ
２  貯蔵部
３  基部
４  蓋
５  物質
６  滴
１０  スペーサー
１１  端部部材
２３  細孔
２４  座部
３０  アプリケータホルダー
３１  ロッド
３５  フォーム
４０  ストッパ
【図１】
2004216177.tif 000003
【図２】
2004216177.tif 000004
【図３】
2004216177.tif 000005
【図４】
2004216177.tif 000006
【図５】
2004216177.tif 000007
【図６】
2004216177.tif 000008
【図７】
2004216177.tif 000009
【図８】
2004216177.tif 000010
【図９】
2004216177.tif 000011
【図１０】
2004216177.tif 000012
【図１１】
2004216177.tif 000013
【図１２】
2004216177.tif 000014
【図１３】
2004216177.tif 000015
【図１４】
2004216177.tif 000016
【図１５】
2004216177.tif 000017
【図１６】
2004216177.tif 000018
【図１７】
2004216177.tif 000019
【図１８】
2004216177.tif 000020
【図１９】
2004216177.tif 000021